【手続補正書】
【提出日】平成19年5月25日(2007.5.25)
【手続補正１】
【補正対象書類名】明細書
【補正対象項目名】発明の名称
【補正方法】変更
【補正の内容】
【発明の名称】ゲーム装置及びゲームの画面表示方法
【手続補正２】
【補正対象書類名】明細書
【補正対象項目名】特許請求の範囲
【補正方法】変更
【補正の内容】
【特許請求の範囲】
【請求項１】 
表示画面に対向して位置する遊戯者の動作により操作されるゲーム装置であって、
前記遊戯者の手に持たれ、前記遊戯者の位置を中心としてそこから離れた所望の空間的位置を指示する操作手段と、
前記表示画面に、前記操作手段を移動させる所定の位置と前記遊戯者への所定の動作とを指示する指示画面を表示する表示手段と、
前記操作手段による前記遊戯者の操作から、前記指示画面により指示された前記所定の位置を前記操作手段が指示したか否か、および、前記指示画面により指示された前記所定の動作に適合して前記遊戯者が動作したか否かを判定し、該判定結果に基づいてゲームの進行を制御する制御手段とを有し、
前記表示手段は、
前記表示画面に、前記所定の位置を複数表示すると共に、前記複数の所定位置から選択された複数の所定位置の間で前記遊戯者に前記操作手段を移動させる指示を行う移動指示を表示し、
前記制御手段は、
前記遊戯者が前記移動指示に応じて前記操作手段を移動したか否かを判定し、当該判定結果に基づいてゲームを制御する
ことを特徴とするゲーム装置。
【請求項２】 
表示画面に対向して位置する遊戯者の動作により操作されるゲーム装置であって、
前記遊戯者の手に持たれ、前記遊戯者の位置を中心としてそこから離れた所望の空間的位置を指示する操作手段と、
前記表示画面に、前記操作手段を移動させる所定の位置と前記遊戯者への所定の動作とを指示する指示画面を表示する表示手段と、
前記操作手段による前記遊戯者の操作から、前記指示画面により指示された前記所定の位置を前記操作手段が指示したか否か、および、前記指示画面により指示された前記所定の動作に適合して前記遊戯者が動作したか否かを判定し、該判定結果に基づいてゲームの進行を制御する制御手段とを有し、
前記表示手段は、
前記表示画面に、前記所定の位置を複数表示すると共に、音楽のリズムに合うように前記複数の所定位置から選択された複数の所定位置の間で前記遊戯者に前記操作手段を移動させる指示を行う移動指示を表示し、
前記制御手段は、
前記遊戯者が前記移動指示に応じて前記操作手段を移動したか否かを判定し、当該判定結果に基づいてゲームを制御する
ことを特徴とするゲーム装置。
【請求項３】 
表示画面に対向して位置する遊戯者の動作により操作されるゲーム装置であって、
前記遊戯者の手に持たれ、前記遊戯者の位置を中心としてそこから離れた所望の空間的位置を指示する操作手段と、
前記表示画面に、前記操作手段を移動させる所定の位置と前記遊戯者への所定の動作とを指示する指示画面を表示する表示手段と、
前記操作手段による前記遊戯者の操作から、前記指示画面により指示された前記所定の位置を前記操作手段が指示したか否か、および、前記指示画面により指示された前記所定の動作に適合して前記遊戯者が動作したか否かを判定し、該判定結果に基づいてゲームの進行を制御する制御手段とを有し、
前記表示手段は、
前記表示画面に複数の指示可能位置を表示し、
音楽のリズムに合うように、前記表示画面内の沸き出し位置から少なくとも２以上の異なる操作を指示する指示標識が沸き出し、その沸き出し方向により前記操作手段を移動させる位置を指示するように前記指示可能位置に至る軌跡に沿って移動するように表示し、
音楽のリズムに合うように前記複数の所定位置から選択された複数の指示可能位置の間で前記遊戯者に前記操作手段を移動させる指示を行う移動指示を表示する
ことを特徴とするゲーム装置。
【請求項４】 
遊戯者の動作により操作されるゲーム装置であって、
前記遊戯者により操作される操作手段と、
前記遊戯者に相対してゲーム画面を表示する表示手段とを有し、
前記表示手段は、
音楽のリズムに合うように、前記ゲーム画面内の所定の沸き出し位置から少なくとも２以上の異なる操作を指示する指示標識がひとつずつ沸き出すように表示し、その沸き出し方向により前記操作手段を移動させる所定の位置を指示し、
前記ゲーム画面内の所定の位置を複数表示すると共に、前記複数の所定位置から選択された複数の所定位置の間で前記遊戯者に前記操作手段を移動させる指示を行う移動指示を表示し、前記遊戯者に前記操作手段を移動する移動経路を指示する
ことを特徴とするゲーム装置。 
【請求項５】 
遊戯者の動作により操作されるゲーム装置であって、
前記遊戯者により操作される操作手段と、
前記遊戯者に相対してゲーム画面を表示する表示手段とを有し、
前記表示手段は、
複数の指示可能位置を表示し、
音楽のリズムに合うように、前記ゲーム画面内の所定の沸き出し位置から沸き出した複数の種類の指示標識が、前記複数の指示可能位置から選択されたいずれかの指示可能位置に至る軌跡に沿って移動するように表示し、
前記複数の指示可能位置から選択された一の指示可能位置から出発して他の指示可能位置に到達するように前記遊戯者に前記操作手段を移動させる指示を行う移動指示を表示し、
前記制御手段は、
前記指示標識が前記指示可能位置に到達するときに前記遊戯者は前記指示標識が指示する種類の動作をしたか否か、および、前記遊戯者が前記移動指示に応じて前記操作手段を移動したか否かを判定し、当該判定結果に基づいてゲームを制御する
ことを特徴とするゲーム装置。
【請求項６】 
表示画面に相対する遊戯者の動作により操作されるゲームの画面表示方法であって、
ゲーム画像を画面に表示する表示手段により、
前記表示画面に複数の指示可能位置を表示し、
音楽のリズムに合うように、前記画面内の所定の沸き出し位置から少なくとも２以上の異なる操作を指示する指示標識がひとつずつ沸き出すように表示し、その沸き出し方向により前記操作手段を移動させる所定の位置を指示し、
前記ゲーム画面内の所定の位置を複数表示すると共に、前記複数の所定位置から選択された複数の所定位置の間で前記遊戯者に前記操作手段を移動させる指示を行う移動指示を表示し、前記遊戯者に前記操作手段を移動する移動経路を指示する
ことを特徴とするゲームの画面表示方法。 
【請求項７】 
表示画面に相対する遊戯者の動作により操作されるゲームの画面表示方法であって、
ゲーム画像を画面に表示する表示手段により、
前記表示画面に複数の指示可能位置を表示し、
音楽のリズムに合わせて、前記遊戯者への複数の種類の指示標識を所定の沸き出し位置から沸き出させて前記複数の指示可能位置から選択されたいずれかの指示可能位置に至る軌跡に沿って移動するように表示し、
前記指示標識の種類により、前記指示標識が前記指示可能位置に到達するときに前記遊戯者が行う動作を指示し、
前記複数の指示可能位置から選択された一の指示可能位置から出発して他の指示可能位置に到達するように前記遊戯者に前記操作手段を移動させる指示を行う移動指示を表示し、
前記遊戯者に前記操作手段を移動する移動経路を指示する
ことを特徴とするゲームの画面表示方法。 
【請求項８】
コンピュータに、表示画面に相対する遊戯者の動作により操作されるゲームの画面表示方法を実行させるためのプログラムであって、
前記コンピュータに、
前記表示画面に複数の指示可能位置を表示する手順、
音楽のリズムに合うように、前記画面内の所定の沸き出し位置から少なくとも２以上の異なる操作を指示する指示標識がひとつずつ沸き出すように表示する手順、
その沸き出し方向により前記操作手段を移動させる所定の位置を指示する手順、
前記ゲーム画面内の所定の位置を複数表示すると共に、前記複数の所定位置から選択された複数の所定位置の間で前記遊戯者に前記操作手段を移動させる指示を行う移動指示を表示する手順、
前記遊戯者に前記操作手段を移動する移動経路を指示する指示する手順を実行させるためのプログラムを記録したコンピュータ読み取り可能な記録媒体。
【請求項９】
コンピュータに、表示画面に相対する遊戯者の動作により操作されるゲームの画面表示方法を実行させるためのプログラムであって、
前記コンピュータに、
前記表示画面に複数の指示可能位置を表示する手順、
音楽のリズムに合わせて、前記遊戯者への複数の種類の指示標識を所定の沸き出し位置から沸き出させて前記複数の指示可能位置から選択されたいずれかの指示可能位置に至る軌跡に沿って移動するように表示する手順、
前記指示標識の種類により、前記指示標識が前記指示可能位置に到達するときに前記遊戯者が行う動作を指示する手順、
前記複数の指示可能位置から選択された一の指示可能位置から出発して他の指示可能位置に到達するように前記遊戯者に前記操作手段を移動させる指示を行う移動指示を表示する手順、
前記遊戯者に前記操作手段を移動する移動経路を指示する手順を実行させるためのプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、表示画面に相対する遊戯者の動作により操作されるゲーム装置及びゲームの画面表示方法に関する。
【手続補正４】
【補正対象書類名】明細書
【補正対象項目名】０００４
【補正方法】変更
【補正の内容】
【０００４】
本発明の目的は、遊戯者が操作手段等に直接的な操作をすることなく、遊戯者の自然な動作により操作することができるゲーム装置及びゲームの画面表示方法を提供することにある。
【手続補正５】
【補正対象書類名】明細書
【補正対象項目名】０００５
【補正方法】削除
【補正の内容】